(57)【要約】【課題】  より確実にフィルムから照合情報を取得することができる、写真処理システムおよび照合情報付与方法を提供する。【解決手段】  写真処理システム１０は、読取部１２および画像形成部１４を備える。読取部１２の可視光用ＣＣＤセンサ２６と赤外光用ＣＣＤセンサ３０とがそれぞれフィルムＦの搬送に伴って移り変わる像を繰り返し走査し、制御部３４において、可視光から読み取られたデータをコマ画像として取得し、赤外光から読み取られたデータを照合情報画像データとして取得する。取得した照合情報画像データを解析することによって、照合情報データを取得する。取得した照合情報データに基づく照合情報１０２が画像形成部１４で印字ユニット５４によって印画紙Ｐの裏面に印字される。【選択図】      図１
2005284084.tif 000002
【特許請求の範囲】
【請求項１】
所定の照合情報が記録され少なくとも赤外光を透過させる照合用シールが貼着された写真用のフィルムからコマ画像をコマ画像データとして取得し、当該コマ画像データに基づく画像を画像形成媒体に形成可能な写真処理システムであって、
前記フィルムに光を与え、前記フィルムを透過した光のうち可視光と赤外光とをそれぞれデータとして読み取る読取部、
前記読取部で前記可視光から読み取ったデータを前記フィルムに形成されたコマ画像に基づくコマ画像データとして取得し前記赤外光から読み取ったデータを前記照合用シールに記録された照合情報に基づく照合情報データとして取得するデータ制御部、および
前記データ制御部で取得された前記照合情報データに基づく照合情報を前記画像形成媒体に形成する照合情報形成手段を備える、写真処理システム。
【請求項２】
前記照合情報形成手段は前記画像形成媒体に前記データ制御部で取得された前記照合情報データに基づく照合情報をテキストとして形成可能な印字手段である、請求項１に記載の写真処理システム。 
【請求項３】
前記データ制御部によって前記コマ画像データと前記照合情報データとを合成してインデックス画像データを作成し、前記データ制御部によって作成された前記インデックス画像データに基づく画像を前記画像形成媒体に形成可能である、請求項１または２に記載の写真処理システム。
【請求項４】
記録媒体に前記コマ画像データを書き込むために設けられ前記データ制御部で取得された前記照合情報データに基づく照合情報を前記記録媒体に形成可能なデータ書き込み部をさらに備える、請求項１から３のいずれかに記載の写真処理システム。
【請求項５】
コマ画像が形成された写真用のフィルムと前記フィルムが受付に際して収容されるＤＰ袋と写真処理システムの読取部で前記フィルムに可視光を与えることによって取得された前記コマ画像に対応するコマ画像データに基づく画像が形成される画像形成媒体とにそれぞれ照合情報を付与する照合情報付与方法であって、
前記ＤＰ袋に所定の照合情報が記録される第１照合用シールを貼着し、前記フィルムに前記照合情報が記録され少なくとも赤外光を透過させる第２照合用シールを貼着する第１工程、
前記読取部で前記フィルムに赤外光を与えることによって前記第１工程で前記フィルムに貼着された前記第２照合用シールに記録される前記照合情報を照合情報データとして取得する第２工程、および
前記第２工程で取得された前記照合情報データに基づく照合情報を照合情報形成手段によって前記画像形成媒体に形成する第３工程を備える、照合情報付与方法。
【請求項６】
前記コマ画像データを記録媒体に書き込むデータ書き込み部で前記第２工程で取得された前記照合情報データに基づく照合情報を前記記録媒体に形成する工程をさらに備える、請求項５に記載の照合情報付与方法。
【発明の詳細な説明】
【技術分野】
【０００１】
この発明は、写真処理システムおよび照合情報付与方法に関し、より特定的にはフィルムに形成されるコマ画像をコマ画像データとして取得する、写真処理システムおよび照合情報付与方法に関する。
【背景技術】
【０００２】
一般に、ＤＰＥ店では、顧客によって持ち込まれる写真用のフィルムをＤＰ袋に収容して受け付け、当該フィルムに形成されたコマ画像を印画紙等の画像形成媒体に形成する。そして、ＤＰ袋とフィルムとフィルムのコマ画像が形成された印画紙（プリント）とを照合した後に、ＤＰ袋にフィルムとプリントとを収容して顧客に引き渡す。
【０００３】
従来、受付に際して同じ照合情報が記録されたシール等をＤＰ袋とフィルムとにそれぞれ貼着し、当該照合情報をそれぞれ確認することでＤＰ袋とフィルムとが照合されていた。また、フィルムのコマ画像とプリントに形成された画像とを確認することでフィルムとプリントとが照合されていた。しかし、ほとんどの場合、フィルムには複数のコマ画像が形成されており、これに伴って複数のプリントが作製されるので、複数のフィルムのコマ画像と複数のプリントとを逐一照合するのは煩わしく、また、照合ミスも生じやすいという問題があった。
【０００４】
この種の問題を解決するために、たとえば特許文献１には、読取部で可視光から情報を読み取ることによってフィルムに貼着された照合用シールの照合情報を取得し、当該照合情報を画像形成媒体に形成することでプリントにフィルムひいてはＤＰ袋と同じ照合情報を付与する技術が開示されている。
【特許文献１】特開２００３−５３０１号
【発明の開示】
【発明が解決しようとする課題】
【０００５】
しかし、特許文献１に開示される技術では、現像前のフィルムに照合用シールを貼着すると照合用シールを貼着した部分においてフィルムの現像処理を適正に行うことができず、照合用シールを貼着した部分は可視光を透過させにくい。このために、照合情報を取得できず、画像形成媒体に照合情報を形成できない恐れがあった。
【０００６】
それゆえに、この発明の主たる目的は、より確実にフィルムから照合情報を取得することができる、写真処理システムおよび照合情報付与方法を提供することである。
【課題を解決するための手段】
【０００７】
上述の目的を達成するために、請求項１に記載の写真処理システムは、所定の照合情報が記録され少なくとも赤外光を透過させる照合用シールが貼着された写真用のフィルムからコマ画像をコマ画像データとして取得し、当該コマ画像データに基づく画像を画像形成媒体に形成可能な写真処理システムであって、フィルムに光を与え、フィルムを透過した光のうち可視光と赤外光とをそれぞれデータとして読み取る読取部、読取部で可視光から読み取ったデータをフィルムに形成されたコマ画像に基づくコマ画像データとして取得し赤外光から読み取ったデータを照合用シールに記録された照合情報に基づく照合情報データとして取得するデータ制御部、およびデータ制御部で取得された照合情報データに基づく照合情報を画像形成媒体に形成する照合情報形成手段を備える。
【０００８】
請求項２に記載の写真処理システムは、請求項１に記載の写真処理システムにおいて、照合情報形成手段は画像形成媒体にデータ制御部で取得された照合情報データに基づく照合情報をテキストとして形成可能な印字手段であることを特徴とする。
【０００９】
請求項３に記載の写真処理システムは、請求項１または２に記載の写真処理システムにおいて、データ制御部によってコマ画像データと照合情報データとを合成してインデックス画像データを作成し、データ制御部によって作成されたインデックス画像データに基づく画像を画像形成媒体に形成可能であることを特徴とする。
【００１０】
請求項４に記載の写真処理システムは、請求項１から３のいずれかに記載の写真処理システムにおいて、記録媒体にコマ画像データを書き込むために設けられデータ制御部で取得された照合情報データに基づく照合情報を記録媒体に形成可能なデータ書き込み部をさらに備えることを特徴とする。
【００１１】
請求項５に記載の照合情報付与方法は、コマ画像が形成された写真用のフィルムとフィルムが受付に際して収容されるＤＰ袋と写真処理システムの読取部でフィルムに可視光を与えることによって取得されたコマ画像に対応するコマ画像データに基づく画像が形成される画像形成媒体とにそれぞれ照合情報を付与する照合情報付与方法であって、ＤＰ袋に所定の照合情報が記録される第１照合用シールを貼着し、フィルムに照合情報が記録され少なくとも赤外光を透過させる第２照合用シールを貼着する第１工程、読取部でフィルムに赤外光を与えることによって第１工程でフィルムに貼着された第２照合用シールに記録される照合情報を照合情報データとして取得する第２工程、および第２工程で取得された照合情報データに基づく照合情報を照合情報形成手段によって画像形成媒体に形成する第３工程を備える。
【００１２】
請求項６に記載の照合情報付与方法は、請求項５に記載の照合情報付与方法において、コマ画像データを記録媒体に書き込むデータ書き込み部で第２工程で取得された照合情報データに基づく照合情報を記録媒体に形成する工程をさらに備えることを特徴とする。
【００１３】
請求項１に記載の写真処理システムでは、データ制御部において、読取部で赤外光から読み取ったデータを照合用シールに記録される照合情報に基づく照合情報データとして取得する。赤外光は可視光に比べて波長が長く物体中で散乱しにくいので、言い換えれば物体を透過しやすいので、未現像のフィルムに照合用シールを貼着した場合であっても、照合情報データひいては照合情報をより確実に取得し、当該照合情報を画像形成媒体に形成することができ、当該照合情報を用いてＤＰ袋とフィルムとプリントとの照合をより確実に行うことができる。請求項５に記載の照合情報付与方法についても同様である。
【００１４】
一般に、写真処理システムには、コマ画像データの補正情報等を画像形成媒体に印字するための印字手段が設けられる。請求項２に記載の写真処理システムでは、照合情報形成手段として印字手段を用いることによって、別個に照合情報形成手段を設ける必要がなく、写真処理システムのコストを抑えることができる。
【００１５】
たとえば、プリントの作製後にフィルムを破棄する場合、プリントの照合情報のみではそれぞれ異なる画像が形成された複数のプリント全てがＤＰ袋に収容されているか否か把握できない。請求項３に記載の写真処理システムでは、データ制御部によってコマ画像データと照合情報データとを合成してインデックス画像データを作成し、当該インデックス画像データに基づく画像を画像形成媒体に形成することによってインデックスプリントを作製し、ＤＰ袋に収容すべきプリントを一目で把握することができ、それぞれ異なる画像が形成された複数のプリント全てを確実にＤＰ袋に収容することができる。
【００１６】
近年、フィルムのコマ画像を記録媒体に記録してほしいという顧客の要望に対応して、データ書き込み部を備える写真処理システムが普及している。請求項４に記載の写真処理システムでは、データ書き込み部においてデータ制御部で取得された照合情報データに基づく照合情報を記録媒体に形成可能である。これによって、ＤＰ袋と記録媒体との照合を簡単かつ確実に行うことができる。請求項６に記載の照合情報付与方法についても同様である。
【発明の効果】
【００１７】
この発明によれば、より確実にフィルムから照合情報を取得することができる。
【発明を実施するための最良の形態】
【００１８】
以下、図面を参照して、この発明の実施の形態について説明する。
図１を参照して、写真処理システム１０は、現像済みの写真用のフィルム（ネガフィルム）Ｆに光を与えフィルムＦを透過した光からデータを読み取る読取部１２および画像形成媒体の一例である印画紙Ｐに画像を形成する画像形成部１４を備える。
【００１９】
読取部１２は、複数のコマ画像が形成されたフィルムＦ（図４（ａ）参照）に向けて光を発する光源部１６とフィルムＦを搬送するフィルムキャリア１８とを含む。
【００２０】
光源部１６は、ハロゲンランプ１６ａ、赤外線カットフィルタ１６ｂ、調光フィルタ１６ｃおよびミラートンネル１６ｄを含む。光源であるハロゲンランプ１６ａが発する光は、赤外線カットフィルタ１６ｂと調光フィルタ１６ｃとを順に透過し、ミラートンネル１６ｄ内を通過してフィルムＦに与えられる。
【００２１】
なお、光源部１６に用いられる光源はハロゲンランプ１６ａに限定されない。ハロゲンランプ１６ａに代えて、キセノンランプあるいはＬＥＤ（Light Emitting Diode）等を用いてもよい。
【００２２】
赤外線カットフィルタ１６ｂは、赤外線（赤外光）領域の光（以下、単に赤外光という）のうち所定の波長範囲の赤外光を透過させるように設けられる。具体的に、赤外線カットフィルタ１６ｂは、約７８０ｎｍ〜約１１００ｎｍの波長範囲で赤外光の透過率が低くなるように設定されつつ、後述する赤外光用ＣＣＤセンサ３０によって光電変換可能な約８２０ｎｍ〜約８９０ｎｍの波長範囲で赤外光の透過率が若干高くなるように設定されている。
【００２３】
調光フィルタ１６ｃは、可視領域の光（以下、単に可視光という）に所定の波長依存性を持たせるように設けられ、可視光の赤色（Ｒ）光、緑色（Ｇ）光、青色（Ｂ）光のバランス（色バランス）を調整する。また、調光フィルタ１６ｃは、約７９０ｎｍ〜約１０００ｎｍの波長範囲で赤外光の透過率を低くしつつ、赤外線カットフィルタ１６ｂと同様に約８２０ｎｍ〜約８９０ｎｍの赤外光の波長範囲で透過率が若干高くなるように設定されている。
【００２４】
なお、ハロゲンランプ１６ａが発する光に所定の波長範囲の赤外光および所定の色バランスの可視光を含ませることができれば、つまり、所望の光を得ることができれば、ハロゲンランプ１６ａとミラートンネル１６ｄとの間にどのようなフィルタを設けてもよい。たとえば、１つのフィルタによって所望の光を得るようにしてもよいし、多数のフィルタを組み合わせて所望の光を得るようにしてもよい。
【００２５】
ミラートンネル１６ｄは、赤外線カットフィルタ１６ｂおよび調光フィルタ１６ｃを透過した光の色分布や強度分布を均一にするために設けられる。ミラートンネル１６ｄ内を通過した光は、フィルムキャリア１８に配置されるフィルムＦに与えられる。
【００２６】
フィルムキャリア１８は、図示しないモータを回転駆動することで搬送用ローラ１８ａを回転させ、フィルムＦを矢印Ａ方向（副走査方向）に搬送する。
【００２７】
フィルムキャリア１８に配置されるフィルムＦを透過した光は、レンズ２０を介してミラー２２に入射する。コールドミラーであるミラー２２は、入射する可視光を反射させ、また入射する赤外光を透過させる。ミラー２２に入射した光のうち可視光は、ミラー２２の入射面に反射されて屈曲し、ＣＣＤユニット２４の可視光用ＣＣＤセンサ２６に与えられる。また、ミラー２２に入射した光のうち赤外光は、ミラー２２を透過してＣＣＤユニット２８の赤外光用ＣＣＤセンサ３０に与えられる。
【００２８】
なお、光を可視光と赤外光とに分離できるものであればミラー２２に代えてどのような部材を用いてもよい。たとえば、可視光を透過させ赤外光を反射させるコールドフィルタ等を用いてもよい。
【００２９】
可視光用ＣＣＤセンサ２６に与えられる可視光と赤外光用ＣＣＤセンサ３０に与えられる赤外光とは、フィルムＦを透過した光がレンズ２０を通過することによって、可視光用ＣＣＤセンサ２６の受光面と赤外光用ＣＣＤセンサ３０の受光面とにおいてそれぞれ合焦するように調整されている。
【００３０】
なお、レンズ２０として単焦点レンズあるいはズームレンズのいずれを用いてもよい。
【００３１】
ミラー２２とＣＣＤユニット２４との間には、約８２０ｎｍ〜約８９０ｎｍの波長範囲の赤外光を透過させないように設定される赤外線カットフィルタ３２が配置される。これによって、光源部１６の赤外線カットフィルタ１６ｂおよび調光フィルタ１６ｃを透過した赤外光が可視光用ＣＣＤセンサ２６に与えられることを防止している。
【００３２】
ＣＣＤユニット２４は、可視光用ＣＣＤセンサ２６と図示しないＡ／Ｄ変換器とを含む。同様に、ＣＣＤユニット２８は、赤外光用ＣＣＤセンサ３０と図示しないＡ／Ｄ変換器とを含む。
【００３３】
ＣＣＤユニット２４の可視光用ＣＣＤセンサ２６の受光面には、Ｒ光、Ｇ光、Ｂ光にそれぞれ対応するＣＣＤ素子２６ａ，２６ｂ，２６ｃがフィルムＦの幅方向（主走査方向）に延びて多数（たとえば５０００個）配列される。各ＣＣＤ素子２６ａ，２６ｂ，２６ｃは、受けたＲ光、Ｇ光、Ｂ光をそれぞれ光電変換することによってアナログデータとして読み取る。
【００３４】
同様に、赤外光用ＣＣＤセンサ３０の受光面には、赤外光に対応するＣＣＤ素子３０ａが主走査方向に多数配列される。各ＣＣＤ素子３０ａは、受けた赤外光をそれぞれ光電変換することによってアナログデータとして読み取る。
【００３５】
なお、赤外光用ＣＣＤセンサ３０に与えられる赤外光は、光源部１６の赤外線カットフィルタ１６ｂおよび調光フィルタ１６ｃとミラー２２とを透過することによって、赤外光用ＣＣＤセンサ３０が飽和状態とならない入射強度かつ赤外光用ＣＣＤセンサ３０が飽和状態の１／２以上の信号を出力する入射強度となるように調整されている。
【００３６】
可視光用ＣＣＤセンサ２６と赤外光用ＣＣＤセンサ３０とは、それぞれ、所定のタイミングで動作してフィルムＦの搬送に伴って移り変わる光（像）を主走査方向に繰り返し走査し、像をアナログデータとして読み取る。可視光用ＣＣＤセンサ２６と赤外光用ＣＣＤセンサ３０とによって像から読み取られたアナログデータは、それぞれ、ＣＣＤユニット２４，２８のＡ／Ｄ変換器に入力され、デジタルデータに変換された後に読取部１２および画像形成部１４を統括的に制御する制御部３４に順次入力される。
【００３７】
制御部３４は、図示しないＣＰＵバスで相互に接続されたＣＰＵ３４ａ、ＲＯＭ３４ｂおよびＲＡＭ３４ｃを含む。また、制御部３４には、モニタ等の表示部３６、ハードディスクドライブ（ＨＤＤ：ハードディスクを含む）等の記憶部３８、およびオペレータによる種々の指示や設定を行うキーボードやマウス等の入力部４０が接続される。表示部３６には、写真処理システム１０の操作を容易にするＧＵＩ（Graphical User Interface）や印画紙Ｐに形成すべき画像等が表示される。
【００３８】
ＣＰＵ３４ａは、ＲＯＭ３４ｂや記憶部３８に記憶された各種のプログラムを実行し、データを処理し、写真処理システム１０の各構成要素に指示を与え、写真処理システム１０の動作を制御する。
【００３９】
ＲＯＭ３４ｂは、起動用プログラム等を記憶している。起動用プログラムをＣＰＵ３４ａが実行することによって、記憶部３８に記録されているオペレーティングシステム（ＯＳ）、画像処理プログラム等のプログラムがＲＡＭ３４ｃにロードされ、各種の処理や制御が実行可能となる。
【００４０】
ＲＡＭ３４ｃには、写真処理システム１０を制御するプログラム等が展開され、プログラムによる処理結果、処理のための一時データ、表示部３６の画面上に情報を表示するための表示用データ（テキストデータ、画像データ等）等を保持し、ＣＰＵ３４ａの作業領域として使用される。ＲＡＭ３４ｃ上に展開された表示用データは、表示部３６に伝達され、表示部３６は、その画面上に表示用データに対応する表示内容（テキスト、画像等）を表示する。
【００４１】
この実施形態では、制御部３４がデータ制御部に該当し、ＣＰＵ３４ａの指示に従って、ＲＡＭ３４ｃ上でＣＣＤユニット２４から入力されたデジタルデータがフィルムＦに形成された複数のコマ画像にそれぞれ対応するコマ画像データとして取得される。つまり、読取部１２で可視光から読み取られたデジタルデータがコマ画像データとして取得される。同様に、ＲＡＭ３４ｃ上でＣＣＤユニット２８から入力されたデジタルデータがフィルムＦの第２照合用シール１０４ｂ（図４（ａ）参照）に対応する照合情報画像データとして取得される。当該照合情報画像データはＣＰＵ３４ａによって解析され、照合情報１０２（図４（ａ）参照）に対応する照合情報データ（ここでは「０１２３」に対応するテキストデータ）として取得される。つまり、読取部１２で赤外光から読み取られたデジタルデータが照合情報データとして取得される。取得されたコマ画像データおよび照合情報データは、ＲＡＭ３４ｃに保持される。または、取得されたコマ画像データおよび照合情報データは記憶部３８に記憶され、必要に応じて記憶部３８から読み出される。
【００４２】
また、この実施形態では、ＣＰＵ３４ａの指示に従って、取得されたコマ画像データおよび照合情報データと記憶部３８に予め記憶されているテンプレート画像データとを合成し、フィルムＦに形成されたコマ画像を一覧表示するための画像データ（インデックス画像データ）がＲＡＭ３４ｃ上で作成される。作成されたインデックス画像データは、ＲＡＭ３４ｃに保持される。
【００４３】
記憶部３８は、ＣＰＵ３４ａの指示に従って、プログラム、制御用データ、テキストデータ、画像データ等を、ハードディスクに対して書き込みまたは読み出す。この実施形態では、記憶部３８内のハードディスクに、写真処理システム１０の動作のためのプログラムや画像処理プログラム等が格納される。
【００４４】
また、このような制御部３４には、書き込み部４２が接続される。書き込み部４２は、制御部３４から入力されるコマ画像データを記録媒体であるＣＤ−Ｒ４４に書き込む。また、書き込み部４２は印刷ヘッド４２ａを含み、ＣＤ−Ｒ４４の主面（レーベル面）に所望の画像やテキストを印刷可能に構成される。
【００４５】
なお、コマ画像データが書き込まれる記録媒体はＣＤ−Ｒ４４に限定されない。たとえば、ＣＤ−ＲＷ、ＤＶＤ−Ｒ、さらにはＤＶＤ−ＲＷ等であってもよく、書き込み部４２もこれらの記憶媒体への書き込みに対応したものを用いればよい。
【００４６】
画像形成部１４は、画像形成媒体である長尺の印画紙Ｐが収納されるペーパーマガジン４６を含む。ペーパーマガジン４６に収納される印画紙Ｐは所定の経路に沿って引き出され、カッタ４８によって適宜のサイズにカットされ、カット済みの印画紙Ｐが図示しないモータによって回転駆動される搬送用ローラ５０によって搬送される。
【００４７】
また、カット済みの印画紙Ｐの搬送経路上には、デジタル露光ヘッド５２および印字ユニット５４が配置される。
【００４８】
デジタル露光ヘッド５２は、制御部３４から入力されるコマ画像データに基づく画像を印画紙Ｐの表面に露光し、画像（潜像）を形成する。デジタル露光ヘッド５２としては、たとえば蛍光プリンタ、ＰＬＺＴ式プリンタまたはＣＲＴプリンタ等のヘッドが用いられる。
【００４９】
印字ユニット５４は、制御部３４から入力されるテキストデータに基づくテキストを画像が形成された印画紙Ｐの裏面に印画紙Ｐの搬送方向に沿って印字する。印字ユニット５４としては、たとえばドットインパクトプリンタ等が用いられる。
【００５０】
なお、印字ユニット５４をデジタル露光ヘッド５２よりも搬送経路の上流側に配置し、印画紙Ｐの裏面にテキストを印字した後に印画紙Ｐの表面に画像を形成するようにしてもよい。
【００５１】
このように表面に画像が形成されかつ裏面にテキストが印字された印画紙Ｐが、現像処理部５６で現像処理され、乾燥部５８で乾燥されることによって、プリント１０６（図４（ｂ）参照）が作製される。
【００５２】
ついで、図２から図５を参照して、上述のように構成される写真処理システム１０を用いてプリントの作製等のサービスを行うＤＰＥ店での写真処理の流れについて説明する。
【００５３】
まず、顧客によってＤＰＥ店に持ち込まれた未現像のフィルムＦは、受付に際して、図３（ａ）に示すようなＤＰ袋１００に収容される。このとき、図３（ａ）および図３（ｂ）に示すように、ＤＰ袋１００とフィルムＦとには、同じ照合情報１０２（ここではテキスト「０１２３」）が記録された第１照合用シール１０４ａと第２照合用シール１０４ｂとが人手によってそれぞれ貼着される（ステップＳ１）。図３（ｂ）においては、フィルムＦがパトローネＦ１に巻回された状態が示されており、パトローネＦ１から突出するフィルムＦの端部に第２照合用シール１０４ｂが貼着される。
【００５４】
なお、照合情報１０２の色と第１照合用シール１０４ａおよび第２照合用シール１０４ｂの材質とは、オペレータが照合情報１０２を確認できれば特に限定されないが、第２照合用シールは少なくとも赤外光を透過させる材質によって形成される。
【００５５】
ついで、フィルムＦを収容したＤＰ袋１００がフィルムＦの現像場所に送られ、図示しないフィルム現像装置によって第２照合用シール１０４ｂが貼着されたフィルムＦの現像処理が行われる（ステップＳ３）。
【００５６】
ステップＳ３の処理で現像処理済みとなったフィルムＦは、写真処理システム１０の読取部１２に装填され、フィルムＦに形成されたコマ画像に基づくコマ画像データが取得される（ステップＳ５）。読取部１２に装填される現像処理済みのフィルムＦは、パトローネＦ１から取り出されており、図４（ａ）に示すような態様となっている。
【００５７】
ステップＳ５の処理では、可視光用ＣＣＤセンサ２６と赤外光用ＣＣＤセンサ３０とがそれぞれフィルムＦの搬送に伴って移り変わる像を繰り返し走査する。そして、制御部３４において、可視光用ＣＣＤセンサ２６によって可視光から読み取られたデータをコマ画像データとして取得し、赤外光用ＣＣＤセンサ３０によって赤外光から読み取られたデータを照合情報画像データとして取得する。
【００５８】
ついで、取得した照合情報画像データを解析することによって、フィルムＦに貼着された第２照合用シール１０４ｂの照合情報１０２に基づく照合情報データを取得し、当該照合情報データをＲＡＭ３４ｃに保持する（ステップＳ７）。ついで、写真処理システム１０によって行うべき処理のための各種の設定が入力部４０を介してオペレータによって行われる（ステップＳ９）。
【００５９】
ステップＳ９では、取得したコマ画像データに施すべき色調補正等の補正の設定、インデックス画像データを作成するか否かの設定、取得したコマ画像データをＣＤ−Ｒ４４に書き込むか否かの設定等、各種の設定がオペレータによって行われる。
【００６０】
ステップＳ９で設定されたコマ画像データに施すべき色調補正等の設定値は、印画紙Ｐの裏面に印字するＣＶＰ(Correction Value Print）データとしてＲＡＭ３４ｃに保持される。
【００６１】
ステップＳ９においてインデックス画像データを作成する設定がなされている場合（ステップＳ１１においてＹＥＳの場合）、ＲＡＭ３４ｃ上でインデックス画像データが作成され、作成されたインデックス画像データがＲＡＭ３４ｃに保持される（ステップＳ１３）。
【００６２】
ステップＳ９においてＣＤ−Ｒ４４に取得したコマ画像データを書き込む設定がなされている場合（ステップＳ１５においてＹＥＳの場合）、ＣＤ−Ｒ４４のメディアケースに添付するためのプリントに対応するインデックス画像データ（ラベルインデックス画像データ）がＲＡＭ３４ｃ上で作成され、ＲＡＭ３４ｃに保持される（ステップＳ１７）。ついで、取得したコマ画像データが書き込み部４２に入力され、ＣＤ−Ｒ４４にコマ画像データの書き込みが行われる（ステップＳ１９）。このとき、ＲＡＭ３４ｃに保持されるラベルインデックス画像データも合わせてＣＤ−Ｒ４４に書き込むようにしてもよい。ついで、ＲＡＭ３４ｃに保持されている照合情報データが書き込み部４２の印刷ヘッド４２ａに入力され、照合情報データに基づく照合情報１０２がＣＤ−Ｒ４４のレーベル面に印刷される（ステップＳ２１）。ついで、取得したコマ画像データに基づく画像が画像形成部１４で印画紙Ｐに形成される（ステップＳ２３）。
【００６３】
ステップＳ２３の処理では、デジタル露光ヘッド５２に取得したコマ画像データが入力され、搬送経路に沿って搬送される印画紙Ｐの表面にコマ画像データに基づく画像が形成される。また、ＲＡＭ３４ｃにインデックス画像データが保持されている場合、インデックス画像データがデジタル露光ヘッド５２に入力され、インデックス画像データに基づく画像が印画紙Ｐの表面に形成される。ＲＡＭ３４ｃにラベルインデックス画像データが保持されている場合も同様である。
【００６４】
ついで、ＲＡＭ３４ｃに保持される照合情報データとＣＶＰデータとが印字ユニット５４に入力され、印字ユニット５４によって、画像形成済みの印画紙Ｐの裏面に照合情報データに基づく照合情報１０２およびＣＶＰデータに基づくＣＶＰ情報が印字される（ステップＳ２５）。
【００６５】
表面に画像が形成されかつ裏面に照合情報１０２およびＣＶＰ情報が印字された印画紙Ｐは、現像処理部５６と乾燥部５８とを順に通過し、図４（ｂ）に示すようなプリント１０６として乾燥部５８から排出される（ステップＳ２７）。図４（ｂ）においては、プリント１０６の裏面が示されており、ステップＳ２５の処理で印字された照合情報１０２が示されている（ＣＶＰ情報は省略する）。
【００６６】
その後、ＤＰ袋１００とフィルムＦとプリント１０６との照合情報１０２が照合され（ステップＳ２９）、フィルムＦとプリント１０６とを収容したＤＰ袋１００が、顧客に引き渡される。
【００６７】
インデックス画像データに基づく画像を印画紙Ｐに形成した場合、図５に示すようなインデックスプリント１０８がプリント１０６と合わせて乾燥部５８から排出される。インデックスプリント１０８の作製を行った場合、これも合わせて照合し、ＤＰ袋１００に収容する。
【００６８】
また、ＣＤ−Ｒ４４にコマ画像データの書き込みを行った場合、データ書き込み済みのＣＤ−Ｒ４４のレーベル面には、図４（ｃ）に示すような態様で照合情報１０２が形成され、ラベルインデックス画像データに基づくラベルインデックスプリント（図示せず）がプリント１０６と合わせて乾燥部５８から排出される。ＣＤ−Ｒ４４にコマ画像データの書き込みを行った場合、ＣＤ−Ｒ４４およびラベルインデックスプリントも合わせて照合し、ＣＤ−Ｒ４４およびラベルインデックスプリントをメディアケース（図示せず）に収容してＤＰ袋１００に収容する。
【００６９】
なお、ＣＤ−Ｒ４４にコマ画像データを書き込む場合、ステップＳ２３からＳ２７までの処理は行わないようにしてもよい。つまり、ＣＤ−Ｒ４４にコマ画像データを書き込むのみでプリントの作製を行わないようにしてもよい。
【００７０】
また、図５に示すように、インデックスプリント１０８には表面に照合情報１０２が形成されているので、裏面に照合情報１０２を印字しないようにしてもよい。ラベルインデックスプリントについても同様に裏面に照合情報１０２を印字しないようにしてもよい。
【００７１】
このような写真処理システム１０を用い、可視光と比べて波長が長く物体中で散乱しにくい赤外光からデータを読み取り、当該データから照合情報画像データひいては照合情報データを取得することによって、より確実に照合情報データを取得することができ、照合情報１０２を用いてＤＰ袋１００とフィルムＦとプリント１０６との照合をより確実に行うことができる。
【００７２】
また、印画紙Ｐに照合情報１０２を形成するための照合情報形成手段として画像形成部１４の印字ユニット５４を用いることによって、別個に照合情報形成手段を設ける必要がなく、写真処理システム１０のコストを抑えることができる。
【００７３】
また、インデックスプリント１０８を作製することで、たとえばフィルムＦをＤＰ袋１００に収容せず破棄する場合であっても、ＤＰ袋１００に収容すべきプリント１０６を一目で把握することができ、それぞれ異なる画像が形成された複数のプリント１０６全てを確実にＤＰ袋に収容することができる。
【００７４】
また、ＣＤ−Ｒ４４のレーベル面に照合情報１０２を形成することで、ＤＰ袋１００とＣＤ−Ｒ４４との照合を簡単かつ確実に行うことができる。
【００７５】
なお、上述の実施形態では、印字ユニット５２によって印画紙Ｐの裏面に照合情報１０２を印字する場合について説明したが、印画紙Ｐへの照合情報１０２の形成はどのように行ってもよい。たとえば、デジタル露光ユニット５２によって印画紙Ｐの表面に照合情報１０２を形成するようにしてもよいし、別個に照合情報形成手段を設けてもよい。
【００７６】
また、上述の実施形態では、照合情報１０２がテキストである場合について説明したが、照合情報１０２は、任意の図形や画像であってもよい。
【００７７】
また、第２照合用シール１０４ｂに代えて、図６に示すような、識別情報１０２に加えて識別情報１０２と同じ情報（ここでは「０１２３」）を有するバーコード１０２ａが記録される第２照合用シール１０５をフィルムＦに貼着し、バーコード１０２ａから照合情報データを取得するようにしてもよい。
【００７８】
また、書き込み部４２にＣＤ−Ｒ４４の側面に照合情報１０２を形成する照合情報形成手段を設け、ＣＤ−Ｒ４４の側面に照合情報１０２を形成するようにしてもよい。
【００７９】
また、画像を形成する手段としてインクジェット式プリンタを用い、画像形成媒体としてプリント用紙に画像を形成する場合であっても、この発明を適用できる。
【００８０】
さらに、この発明は、未現像のフィルムＦからプリントを作製する場合に限らず、たとえば焼き増しをする場合にも適用できる。
【図面の簡単な説明】
【００８１】
【図１】この発明が適用される写真処理システムの一例を示すブロック図である。
【図２】図１の写真処理システムを用いた写真処理の流れを示すフロー図である。
【図３】ＤＰ袋とフィルムとを示す図解図であり、（ａ）は第１照合用シールが貼着されたＤＰ袋を示し、（ｂ）は第２照合用シールが貼着されたフィルムおよびフィルムが巻回されるパトローネを示す。
【図４】フィルムとプリントとＣＤ−Ｒとを示す図解図であり、（ａ）はパトローネから取り出された現像済みのフィルムを示し、（ｂ）は裏面に照合情報が印字されたプリントを示し、（ｃ）はレーベル面に照合情報が形成されたＣＤ−Ｒを示す。
【図５】インデックスプリントの一例を示す図解図である。
【図６】フィルムに貼着される第２照合用シールの他の例を示す図解図である。
【符号の説明】
【００８２】
１０      写真処理システム
１２      読取部
１４      画像形成部
２４，２８      ＣＣＤユニット
２６      可視光用ＣＣＤセンサ
３０      赤外光用ＣＣＤセンサ
３４      制御部
３４ａ      ＣＰＵ
３４ｂ      ＲＡＭ
４２      書き込み部
４２ａ      印刷ヘッド
４４      ＣＤ−Ｒ
５２      デジタル露光ヘッド
５４      印字ユニット
１００      ＤＰ袋
１０２      照合情報
１０４ａ      第１照合用シール
１０４ｂ，１０５      第２照合用シール
１０６      プリント
１０８      インデックスプリント
Ｆ      フィルム
Ｐ      印画紙
【図１】
2005284084.tif 000003
【図２】
2005284084.tif 000004
【図３】
2005284084.tif 000005
【図４】
2005284084.tif 000006
【図５】
2005284084.tif 000007
【図６】
2005284084.tif 000008